(57)【特許請求の範囲】
【請求項１】
ケーシング内に着脱自在にリントフィルターを備え、前記ケーシングの入水口から取り入れた洗濯機排水を、前記リントフィルターを通過させた後に前記ケーシングの出水口から排出するリント捕集器において、
前記ケーシングの長手方向の一側端面に形成される前記入水口と、前記ケーシングの長手方向の他側端面に形成される前記出水口を有し、
前記出水口は、前記ケーシングの底面寄りに形成され、前記底面が前記出水口に向かって下り勾配となるように傾斜していると共に、
前記リントフィルターは、前記入水口側である洗濯機排水の上流側から前記出水口側である洗濯機排水の下流側に向けて下り勾配となるように傾斜している第１フィルター部を有し、
前記リントフィルターは、前記第１フィルター部の下流側で下方に向けて立設される整流部を有していることを特徴とするリント捕集器。
【請求項２】
請求項１に記載のリント捕集器において、
前記リントフィルターは、前記第１フィルター部の下流側で上方に向けて立設される第２フィルター部を有していることを特徴とするリント捕集器。
【請求項３】
請求項１又は請求項２に記載のリント捕集器において、
前記第１フィルター部は、前記入水口から前記出水口に向けて流れる洗濯機排水の流れ方向に沿うように傾斜していることを特徴とするリント捕集器。
【請求項４】
請求項１から請求項３のいずれか１項に記載のリント捕集器を備えることを特徴とする洗濯機。
【発明の詳細な説明】
【技術分野】
【０００１】
本発明は、洗濯機排水のリント捕集器及びこれを備える洗濯機に関する。
【背景技術】
【０００２】
一般に、洗濯機においては、洗濯工程、すすぎ工程、脱水工程、及び乾燥工程の運転時に、洗濯物からリントを発生させることがある。そして、このリントの除去機構を洗濯機本体内に有しないものにあっては、発生したリントの多くが洗濯機排水に伴って洗濯機外に排出される。
従来、洗濯機排水に含まれるリントを分離するリントフィルターを備えるリント捕集器が知られている（例えば、特許文献１及び特許文献２参照）。このリント捕集器は、ケーシング内に着脱自在にリントフィルターを備えており、ケーシングの入水口から取り入れた洗濯機排水を、リントフィルターを通過させた後にケーシングの出水口から排出するようになっている。
このようなリント捕集器によれば、洗濯機排水に含まれるリントを分離することができ、リントが下水道等に排出されるのを防止することができる。
【先行技術文献】
【特許文献】
【０００３】
【特許文献１】特開２００９−１７８４８５号公報
【特許文献２】特開２０１０−５２４７号公報
【発明の概要】
【発明が解決しようとする課題】
【０００４】
しかしながら、従来のリント捕集器（例えば、特許文献１及び特許文献２参照）は、洗濯機排水から分離したリントを取り出す際に異臭を放つ場合がある。特に、気温が高い地方や夏季においてはこの傾向が著しい。
【０００５】
そこで、本発明の課題は、洗濯機排水から分離したリントを取り出す際に、従来よりも異臭の発生を低減することができるリント捕集器及びこれを備える洗濯機を提供することにある。
【課題を解決するための手段】
【０００６】
前記課題を解決する本発明は、ケーシング内に着脱自在にリントフィルターを備え、前記ケーシングの入水口から取り入れた洗濯機排水を、前記リントフィルターを通過させた後に前記ケーシングの出水口から排出するリント捕集器において、前記ケーシングの長手方向の一側端面に形成される前記入水口と、前記ケーシングの長手方向の他側端面に形成される前記出水口を有し、前記出水口は、前記ケーシングの底面寄りに形成され、前記底面が前記出水口に向かって下り勾配となるように傾斜していると共に、前記リントフィルターは、前記入水口側である洗濯機排水の上流側から前記出水口側である洗濯機排水の下流側に向けて下り勾配となるように傾斜している第１フィルター部を有し、前記リントフィルターは、前記第１フィルター部の下流側で下方に向けて立設される整流部を有していることを特徴とするリント捕集器である。
また、前記課題を解決する本発明は、前記リント捕集器を備えることを特徴とする洗濯機である。
【発明の効果】
【０００７】
本発明によれば、洗濯機排水から分離したリントを取り出す際に、従来よりも異臭の発生を低減することができる。
【図面の簡単な説明】
【０００８】
【図１】本発明の実施形態に係るリント捕集器を備える洗濯機の斜視図である。
【図２】本発明の実施形態に係るリント捕集器の斜視図である。
【図３】図２のIII−III断面図である。
【図４】図２のIV−IV断面図である。
【図５】本発明の実施形態でのリントフィルターの斜視図である。
【図６】ケーシング内でのリントフィルターの配置を説明するために、図３の断面（図２のIII−III断面）でケーシング及びリントフィルターを切欠いた様子を示す図２に対応する斜視図である。
【図７】本発明の実施形態に係るリント捕集器内で洗濯機排水の流れる方向を示す模式図である。
【発明を実施するための形態】
【０００９】
以下、本発明の実施形態に係るリント捕集器及びこれを備える洗濯機について、適宜図面を参照しながら詳細に説明する。なお、以下の説明における前後左右上下の方向は、図１に示す前後左右上下の方向を基準とする。
【００１０】
図１に示すように、本実施形態に係る洗濯機１００は、縦型洗濯機であり、ベース１０２の上部には鋼板と樹脂成形品で組合わされて構成された外枠１０１が支持されている。外枠１０１の上方には洗濯物を出し入れする開口（図示省略）を開閉自在に塞ぐ蓋体１０３が配置されている。
【００１１】
図１中、符号１０４は外枠１０１の上縁部に固定されるトップカバーであり、前記の蓋体１０３はこのトップカバー１０４に開閉自在に支持されている。
また、洗濯機１００は、図示しないが、外枠１０１内に防振支持され、洗浄水を貯留する外槽、この外槽内に回転自在に配置され、洗濯物が投入される洗濯槽、この洗濯槽内に設けられる攪拌翼、クラッチによる切り替えによって攪拌翼及び洗濯槽のいずれかを回転駆動する駆動装置等を備えている。
そして、洗濯機１００は、図１に示す操作パネル１０８によって、ユーザーが予め設定した洗濯コースに応じて所定の運転工程を行う。そして、洗濯機１００は、この運転工程のうち、洗濯工程及びすすぎ工程が終了するたびに外槽内の洗浄水を、この外槽の底部に設けられた排水口（図示省略）に接続される排水ホース１０５を介して洗濯機１００外に排水する。なお、この洗濯機排水は、この排水ホース１０５の上流に設けられる排水電磁弁（図示省略）が開くことで排水ホース１０５から排出され、リント捕集器１内に流入する。
【００１２】
次に、本実施形態に係るリント捕集器１について説明する。
図１に示すように、リント捕集器１は、洗濯機１００の排水ホース１０５にアダプター１０６を介して接続されている。なお、図１中、符号１０７は、リント捕集器１の下流側（排水口側）に接続される延長ホースであり、その先端開口は、洗濯機防水パン１０９の図示しない排水口に接続されている。なお、本実施形態に係るリント捕集器１は、アダプター１０６及び延長ホース１０７を取り付けない構成とすることもできる。
【００１３】
次に参照する図２は、本実施形態に係るリント捕集器の斜視図である。
図２に示すように、リント捕集器１は、ケーシング２と、このケーシング２の内側に収容されるリントフィルター３とを備えている。なお、図２中、リントフィルター３は仮想線で描いている。
【００１４】
≪ケーシング≫
ケーシング２は、リントフィルター３を出し入れする上面開口（図示省略）を有するケーシング本体４と、この上面開口を開閉自在に塞ぐ蓋体５と、ケーシング本体４の上面開口を蓋体５が塞いだ状態（閉状態）を維持する取付けフック６と、を主に備えて構成されている。
【００１５】
＜ケーシング本体＞
ケーシング本体４は、一方向（図２の前後方向）に長い略直方体となるように形成され、洗濯機排水をケーシング本体４内に取り込む入口管４１と、ケーシング本体４内に取り込んだ洗濯機排水をケーシング本体４外に排出する出口管４２とを備えている。
本実施形態での入口管４１は、ケーシング本体４の長手方向（図２の前後方向）の一側端面（図２の後側端面）に接続され、出口管４２は、他側端面（図２の前側端面）に接続されている。
【００１６】
また、ケーシング本体４の底部には、二対の脚部４３ａ，４３ａ，４３ｂ，４３ｂが形成されている。但し、合計４つの脚部４３ａ，４３ａ，４３ｂ，４３ｂの内、図２では作図の便宜上、左側の２つの脚部４３ａ，４３ｂの記載を省略している。
これらの脚部４３ａ，４３ａ，４３ｂ，４３ｂは、ケーシング本体４の底部の４隅のそれぞれに設けられ、前側の一対の脚部４３ａ，４３ａの長さは、後側の一対の脚部４３ｂ，４３ｂの長さよりも短くなっている。
なお、図２中、符号４４ａは、リントフィルター３の後端をケーシング本体４内で支持する後記の台座４４（図３参照）を形成するための凹み部である。
【００１７】
次に参照する図３は、図２のIII−III断面図であり、作図の便宜上、図２の左右方向の中心線よりもやや右寄りのIII−III断面を示している。
図３に示すように、入口管４１は、図１の洗濯機１００の排水ホース１０５にアダプター１０６を介し、又は介さずに接続される。また、入口管４１は、ケーシング本体４の一側端面において後記する蓋体５寄り（上方寄り）にケーシング本体４と接続され、ケーシング本体４の内側空間とは入水口４８を介して連通している。
出口管４２は、ケーシング本体４の他側端面においてケーシング本体４の底面４５寄り（下方寄り）にケーシング本体４と接続され、ケーシング本体４の内側空間とは出水口４９を介して連通している。
【００１８】
そして、ケーシング本体４の底面４５は、この出水口４９に向かって下り勾配となるように傾斜している。言い換えれば、底面４５は、一側端面に形成される入水口４８から他側端面に形成される出水口４９に向かって下り勾配となっている。
【００１９】
この底面４５の傾斜角度θ１は、例えば、図１に示す洗濯機１００と並ぶようにこのケーシング本体４が脚部４３ａ，４３ｂを介して水平面上に配置される場合を想定すると、３°（ｄｅｇ）〜１０°（ｄｅｇ）程度が望ましい。ちなみに、本実施形態での底面４５の傾斜角度θ１は、５°（ｄｅｇ）程度に設定されているが、勿論これに限定されるものではない。
【００２０】
また、ケーシング本体４は、その内側に収容されるリントフィルター３を後記する所定の角度（姿勢）となるように支持する台座４４と、引っ掛け部４６と、係止突起４７とを備えている。
【００２１】
台座４４は、ケーシング本体４の後側下方の２隅（２つの角部）に形成され、ケーシング本体４の壁部分が前記した凹み部４４ａ（図２参照）の陥入によってケーシング本体４の内側に向けてその角部を消失させるように（埋めるように）突出した形状となっている。ちなみに、図３に示す台座４４は、ケーシング本体４の左側に形成されるものであり、右側に形成される台座４４は、図２の凹み部４４ａに対応する位置に形成されている。これら左右一対の台座４４は、図３に示すように、その上面がリントフィルター３の後端の下面に当接することでリントフィルター３を支持している。
なお、この台座４４は、ケーシング本体４内で前記角部に肉盛りをして形成することで凹み部４４ａ（図２参照）を省略することもできる。
【００２２】
次に参照する図４は、図２のIV−IV断面図である。
図３及び図４に示すように、引っ掛け部４６は、蓋体５で塞がれるケーシング本体４の上面開口の周囲に沿って形成される段差部で構成されている。そして、この引っ掛け部４６は、リントフィルター３のハンドル３４を引っ掛けることで、リントフィルター３の前端を支持している。
【００２３】
図３及び図４に示すように、係止突起４７は、ケーシング本体４の前寄りの底面４５であって、ケーシング本体４の左右幅方向の略中央に形成されている。
この係止突起４７は、リントフィルター３の格子状整流部３３の前側に当接することで、リントフィルター３の前側下部を支持している。
【００２４】
＜蓋体＞
蓋体５は、ケーシング本体４の上面開口を水密に塞ぐものであり、少なくとも上面開口を覆うことができる大きさの平面形状を有すると共に、その上面開口の周囲と密着可能なようにケーシング本体４に対する当接面が形成されている。なお、この当接面とケーシング本体４の上面開口の周囲との間には、合成ゴム等で形成されるシール材を介在させることもできる。
【００２５】
図２及び図３に示すように、蓋体５の後部は、ヒンジ７を介してケーシング本体４の上面開口の後縁と連結されている。そして、蓋体５は、図３に示すヒンジ７の軸７ａ回りに回動可能となっている。
また、蓋体５がケーシング本体４の上面開口の閉状態を維持できるように、蓋体５の前部には、後記する取付けフック６の先端部６４ａが引っ掛けられている。
【００２６】
また、蓋体５は、図２及び図４に示すように、ケーシング本体４の上面開口を塞ぐように配置された際に、蓋体５の左右両縁のそれぞれから下方に向けて延出する一対のリブ５１を備えている。このリブ５１は、ケーシング２内に流れ込んだ洗濯機排水の水圧で、ケーシング本体４の左右両側壁部が外側に向かって膨出変形するのを防止する。
【００２７】
また、蓋体５の裏側（ケーシング本体４の内側に向き合う側）には、図３及び図４に示すように、整流フィン５２が形成されている。この整流フィン５２は、蓋体５の裏側に立設される板体で構成されており、蓋体５の前後方向に延在している。言い換えれば、ケーシング２内での洗濯機排水の流れる方向に沿うように板面が配置されている。なお、この整流フィン５２の数は、１以上、望ましくは２以上であり、複数の整流フィン５２を有する場合には、これらは相互に等間隔に蓋体５に形成されることが望ましい。
【００２８】
＜取付けフック＞
図３に示す取付けフック６は、前記したように、ケーシング本体４の上面開口の閉状態を維持するように配置された蓋体５の前部を引っ掛けてケーシング本体４側に係止させるものである。この取付けフック６は、ケーシング本体４の前部上方に設けられた軸支部６２ａ回りに回動可能なアーム部材６３と、このアーム部材６３の先端に設けられた軸支部６２ｂ回りに回動するフック本体６４と、を備えている。
【００２９】
フック本体６４は、蓋体５の前部を引っ掛ける鉤状の先端部６４ａと、軸支部６２ｂを挟んで先端部６４ａの反対側に設けられるレバー部６１と、を備えている。
そして、このフック本体６４の先端部６４ａが蓋体５の前部を引っ掛けることで、蓋体５がケーシング本体４の上面開口の閉状態を維持している際には、軸支部６２ｂは、軸支部６２ａよりも僅かに後方に位置している。そのため、蓋体５の前部が持ち上がろうとする方向（ケーシング本体４から離れる方向）の動きを規制しているフック本体６４の先端部６４ａは、蓋体５の前部からその反力を受ける。そして、蓋体５から受ける反力は、アーム部材６３の先端（軸支部６２ｂ側）が軸支部６２ａを中心に図３の左周りに回動する方向の力を生起する。つまり、レバー部６１がケーシング本体４側に向かう力を受けることで、フック本体６４の先端部６４ａが蓋体５の前部を引っ掛けて蓋体５の閉状態を維持することが可能となる。また、前記したレバー部６１がケーシング本体４側に向かう力に抗して、これとは逆方向にレバー部６１を引くことにより、蓋体５に対するフック本体６４の先端部６４ａの引っ掛かりを解除することができ、蓋体５を開状態とすることができる。
【００３０】
≪リントフィルター≫
図５は、本発明の実施形態でのリントフィルターの斜視図である。この図５は、図３に示すケーシング２内に配置されたリントフィルター３の前後左右上下方向に合わせてリントフィルター３を描いている。
【００３１】
図５に示すように、リントフィルター３は、略板状でその表裏の板面がそれぞれ上下方向を向くように配置される第１フィルター部３１と、略板状でその表裏の板面がそれぞれ前後方向を向くように配置される第２フィルター部３２と、図２に示すケーシング本体４の底面４５に沿って流れる洗濯機排水を整流する格子状整流部３３（整流部）と、ハンドル３４と、を備えている。
【００３２】
＜第１フィルター部＞
第１フィルター部３１は、図５に示すように、平面視で六角形状の貫通孔３１ｂがヘキサゴナルに整列したハニカム構造を有している。そして、第１フィルター部３１は、このハニカム構造により第１フィルター部３１を通過して流れる洗濯機排水に含まれるリントをその上面で分離することとなる。また、第１フィルター部３１の左右の端縁及び後の端縁には、上方に向けてリブ３１ａが立設されている。
【００３３】
再び図３に戻って、この第１フィルター部３１の前部には、次に説明する第２フィルター部３２が接合されることで、第１フィルター部３１は、第２フィルター部３２と共に側面視で略Ｌ字形状を呈している。
この第１フィルター部３１は、ケーシング２内にリントフィルター３が配置された際に、ケーシング２の前方向に向かって所定の角度θ２で下り勾配となるように傾斜する。
【００３４】
この角度θ２は、ケーシング２内で入水口４８から出水口４９に向かって流れる洗濯機排水の流れる方向に合わせて設定されることが望ましい。具体的には、入水口４８の中心点４８ａと、出水口４９の中心点４９ａとを結ぶ仮想線５０の水平面に対する傾斜角度θ２に合わせて設定されることが望ましい。
この角度θ２は、５°（ｄｅｇ）〜２０°（ｄｅｇ）程度が更に望ましい。ちなみに、本実施形態での第１フィルター部３１の角度θ２は、１０°（ｄｅｇ）程度に設定されているが、勿論これに限定されるものではない。
【００３５】
＜第２フィルター部＞
第２フィルター部３２は、図５に示すように、平面視で六角形状の貫通孔３２ｂがヘキサゴナルに整列したハニカム構造を有している。そして、第２フィルター部３２のハニカム構造は、第１フィルター部３１のものと同様に、これを通過して流れる洗濯機排水に含まれるリントをその後面で分離することとなる。また、第２フィルター部３２の左右の端縁には、後方に向けてリブ３２ａが立設されている。
【００３６】
再び図３に戻って、第２フィルター部３２は、前記したように、第１フィルター部３１の前部との接合部から上方に向かって延在することで、側面視で第１フィルター部３１と共に略Ｌ字状を形成している。
この第２フィルター部３２は、ケーシング２内にリントフィルター３が配置された際に、その先端部（上端部）が前方に向けて倒れるように傾斜している。この第２フィルター部３２が傾斜する角度は、前記したケーシング２内で入水口４８から出水口４９に向かって流れる洗濯機排水の流れる方向と直交するように設定することが望ましい。つまり、第２フィルター部３２の角度は、θ２＋９０°（ｄｅｇ）程度とすることが望ましい。ちなみに、本実施形態での第２フィルター部３２の角度は、水平面に対して１００°（ｄｅｇ）に設定されているが、勿論これに限定されるものではない。
【００３７】
＜格子状整流部＞
図６は、ケーシング内でのリントフィルターの配置を説明するために、図３の断面（図２のIII−III断面）でケーシング及びリントフィルターを切欠いた様子を示す図２に対応する斜視図である。
【００３８】
格子状整流部３３は、図３及び図６に示すように、第１フィルター部３１と第２フィルター部３２との接合部から下方（ケーシング２の底面４５側）に延出する格子状の整流部を有する部材である。
この格子状整流部３３は、図４に示す正面視で、ケーシング本体４の底面４５と第１フィルター部３１の前部との間で空間（隙間）を確保するように配置される枠部３３ａと、枠部３３ａ内を左右方向に等間隔で仕切るように配置される複数（本実施形態では３つ）の整流板３３ｂと、を備えている。
【００３９】
再び図３に戻って、この格子状整流部３３は、ケーシング２内にリントフィルター３が配置された際に、水平面に対して傾斜している。この格子状整流部３３の水平面に対する傾斜角度は、θ１＋９０°（ｄｅｇ）程度に設定されているのが望ましい。言い換えれば、格子状整流部３３は、ケーシング２の底面４５に対して、９０°（ｄｅｇ）程度をなすように設定されることが望ましい。ちなみに、本実施形態での格子状整流部３３の水平面に対してなす角度は、９５°（ｄｅｇ）程度に設定されているが、勿論これに限定されるものではない。
【００４０】
＜ハンドル＞
ハンドル３４は、図５に示すように、第２フィルター部３２の上部から前方に向けて張り出すように形成されている。このハンドル３４は、ユーザーがリントフィルター３をハンドリングする際に手指で把持する部分であると共に、ケーシング２内でリントフィルター３が所定の角度（姿勢）を維持するように、ケーシング本体４の引っ掛け部４６（図４参照）に引っ掛けられる部分である。
【００４１】
このハンドル３４は、平面視で、略コの字状（略Ｃ字状）を呈し、その略コの字状（略Ｃ字状）の開放側が第２フィルター部３２の左右両端のそれぞれに接続される枠部３４ａと、この枠部３４ａの左右方向（幅方向）の中央位置で枠部３４ａの前部と、第２フィルター部３２の上部との間に渡し掛けられる板状の補強板３４ｂと、枠部３４ａの外周から更に外側に張り出すように形成される張出し縁部３４ｃと、を備えている。
ちなみに、張出し縁部３４ｃは、前記したように、ケーシング本体４（図４参照）の上面開口の周囲に沿って形成される引っ掛け部４６（図３参照）に引っ掛けられる。
【００４２】
≪リント捕集器及びこれを備える洗濯機の作用効果≫
次に、本実施形態に係るリント捕集器１及びこれを備える洗濯機１００の奏する作用効果について説明する。
図６に示すように、ユーザーがリントフィルター３のハンドル３４を把持してこのリントフィルター３をケーシング本体４内に配置すると、リントフィルター３は、図３示すように、ケーシング本体４の台座４４、引っ掛け部４６、及び係止突起４７によって所定の角度（姿勢）を維持する。
つまり、本実施形態のリント捕集器１においては、図３に示すように、第１フィルター部３１が水平面に対して角度θ２に設定され、第２フィルター部３２が角度θ２＋９０°（ｄｅｇ）に設定され、格子状整流部３３がθ１＋９０°（ｄｅｇ）に設定される。
【００４３】
次いで、蓋体５でケーシング本体４の上面開口を水密となるように閉じると共に、図１に示すように、洗濯機１００にリント捕集器１を取り付ける。
そして、洗濯機１００から排水ホース１０５を通じて洗濯機排水が流されると、洗濯機排水は、図６に示す入口管４１及び入水口４８を介してケーシング２内に流れ込む。ケーシング２内に流れ込んだ洗濯機排水は、リントフィルター３を通過すると共に、出水口４９及び出口管４２を介してケーシング２外へ送り出される。
【００４４】
次に参照する図７は、本発明の実施形態に係るリント捕集器内で洗濯機排水の流れる方向を示す模式図である。
図７に示すように、水量の比較的少ない洗濯機排水Ｗ１の場合に、入口管４１から流れ込んだ洗濯機排水Ｗ１は、図７に示すように、第１フィルター部３１の上面に沿って流れつつ、貫通孔３１ｂから下方に流下する。この際、洗濯機排水に含まれるリントは、第１フィルター部３１のハニカム構造によって分離され、その後の洗濯機排水は、ケーシング本体４の底面４５に沿って流れ、格子状整流部３３を通過して出口管４２から排出される。
【００４５】
このような本実施形態によれば、出水口４９がケーシング本体４の底面４５（ケーシングの底面）寄りに形成され、底面４５が出水口４９に向かって下り勾配となるように傾斜しているので、ケーシング本体４内の洗濯機排水は速やかに排出される。
その結果、本実施形態によれば、従来のものと異なって（例えば、特許文献１及び特許文献２参照）、ケーシング本体４内に留まった洗濯機排水により異臭が発生することを防止することができる。
【００４６】
また、ケーシング本体４の底面４５に沿って流れる洗濯機排水は、格子状整流部３３を通過することで整流されて出水口４９からの洗濯機排水の排出が促がされて、より速やかに排出されることとなる。また、洗濯機排水は、格子状整流部３３を通過することによって、この格子状整流部３３がない場合と比較してその流速が速まることとなる。
そのことで、ケーシング本体４内の洗濯機排水は、より確実に排出されることとなって、更に確実に異臭の発生を防止することができる。
【００４７】
また、格子状整流部３３の角度は、図３に示したように、底面４５に対して９０°（ｄｅｇ）をなすように設定されているので、格子状整流部３３は、洗濯機排水を正面より受けて、より効率よく洗濯機排水を整流することができる。
【００４８】
また、洗濯機排水が格子状整流部３３を通過することによって、第１フィルター部３１で分離できなかったリントを格子状整流部３３の後面で分離することもできる。
【００４９】
また、第１フィルター部３１は、図７に示すように、入水口４８から出水口４９に向かって下り勾配となっているので、第１フィルター部３１で分離されるリントＬは、第１フィルター部３１の前部に寄せられて堆積する。そのため、洗濯機１００（図１参照）からの排水が終了して、ケーシング２内から洗濯機排水が下水等に排出された際に、リントＬに含まれる水分（残水）は、リントＬの堆積した量の多さに応じてリントＬ自体に大きく掛かる重力によって、より効率よく脱水される。これに対して、例えば従来のリントフィルター（例えば、特許文献１及び特許文献２参照）では、水平面上でリントが広がって捕集されるので、リントＬからの分離脱水が不充分となる。
本実施形態によれば、分離したリントＬの脱水も効率よく行われるので、このことによっても異臭の発生を防止することができる。
【００５０】
そして、水量が比較的多い洗濯機排水Ｗ２の場合には、洗濯機排水Ｗ２は、ケーシング２内を洗濯機排水Ｗ２で満たしながら、入口管４１から出口管４２へと流れていく。
この際、洗濯機排水Ｗ２の流れ方向は、図３に示すθ２、つまり入水口４８の中心点４８ａと、出水口４９の中心点４９ａとを結ぶ仮想線５０に沿うこととなる。
そのため、洗濯機排水Ｗ２の流れ方向は、角度θ２で傾斜する第１フィルター部３１に沿って流れることとなり、洗濯機排水Ｗ２の水流が安定する。その結果、水量が比較的多い洗濯機排水Ｗ２であっても、ケーシング２内から速やかに排出される。
その結果、本実施形態によれば、ケーシング本体４内の洗濯機排水が、より確実に排出されることとなって、確実に異臭の発生を防止することができる。
【００５１】
また、本実施形態での第２フィルター部３２は、図３に示すように、水平面に対して角度θ２＋９０°（ｄｅｇ）をなすように傾斜する。つまり、第２フィルター部３２は、仮想線５０に沿うように流れる洗濯機排水Ｗ２を正面から受け止める。
その結果、本実施形態によれば、第２フィルター部３２によって、効率よくリントを分離することができる。そして、洗濯機１００（図１参照）からの排水が終了して、ケーシング２内から洗濯機排水が下水等に排出された際に、第２フィルター部３２で分離されるリント（図示省略）は、上下方向に延在する第２フィルター部３２の後面（縦壁）に沿って広がるように堆積するので、リントに含まれる水分（残水）は重力によって、より効率よく脱水される。
その結果、本実施形態によれば、分離したリントの脱水が効率よく行われるので、異臭の発生を防止することができる。
【００５２】
また、本実施形態での蓋体５の裏側には、整流フィン５２が設けられているので、ケーシング２内が洗濯機排水で満たされるように流れる際に、洗濯機排水の流れが促がされる。そのため、蓋体５の裏側に、空気が滞留することが防止され、ケーシング本体４内の洗濯機排水が、より速やかに行われる。
【００５３】
また、本実施形態によれば、第１フィルター部３１及び第２フィルター部３２が、ハニカム構造を有しているので、充分な濾過性能（液通流性能及び捕集性能）を確保しながら、充分な機械的強度をも備えることができる。
また、本実施形態によれば、第１フィルター部３１及び第２フィルター部３２が、ハニカム構造を有しているので、リントによる目詰まりがし難くなっている。
【００５４】
また、本実施形態によれば、第１フィルター部３１にリブ３１ａ（図５参照）を有し、第２フィルター部３２にリブ３２ａ（図５参照）を有しているので、捕集したリントが第１フィルター部３１の縁部や、第２フィルター部３２の縁部からこぼれ難い構造となっている。
【００５５】
また、本実施形態によれば、リントフィルター３がケーシング本体４内で、台座４４、引っ掛け部４６、及び係止突起４７によって支持されるので、ケーシング２内に流入した洗濯機排水によっても、その初期位置（初期姿勢）が変動し難くなっている。そのため、本発明によれば、リントを効率よく分離することができると共に、ケーシング２内から洗濯機排水を効率よく排出することができる。
また、本実施形態によれば、台座４４がケーシング本体４内の上流側の角部を埋めるように形成されているので、リントや洗濯機排水の滞留し易いデッドスペースをこれにより低減している。
【００５６】
以上、本発明の実施形態について説明したが、本発明は前記実施形態に限定されず、種々の形態で実施することができる。
前記実施形態では、リント捕集器１を適用する洗濯機１００として、縦型洗濯機を例に説明したが、本発明はドラム式洗濯機に適用するものであってもよい。
また、前記実施形態では、リント捕集器１の入口管４１（入水口４８）が出口管４２（出水口４９）の反対側に形成されるものについて説明したが、本発明は入口管４１（入水口４８）が出口管４２（出水口４９）と同じ側、具体的には、出口管４２（出水口４９）の上方に設けられる構成とすることもできる。この場合、リントフィルター３は、少なくとも入水口４８と出水口４９との間に形成される洗濯機排水の流路の間に配置される構成とすることができる。
【符号の説明】
【００５７】
１      リント捕集器
２      ケーシング
３      リントフィルター
４      ケーシング本体
５      蓋体
３１    第１フィルター部
３２    第２フィルター部
３３    格子状整流部（整流部）
４１    入口管
４２    出口管
４５    底面
４８    入水口
４９    出水口
５２    整流フィン
１００  洗濯機
Ｌ      リント
【図１】
0005856432.tif 000002
【図２】
0005856432.tif 000003
【図３】
0005856432.tif 000004
【図４】
0005856432.tif 000005
【図５】
0005856432.tif 000006
【図６】
0005856432.tif 000007
【図７】
0005856432.tif 000008